(57)【要約】【課題】ユーザによって選択される水処理設備等に応じて水質予測できる水質予測装置及び水質予測方法を提供する。【解決手段】被処理水を処理する水処理設備の性能を特定する設備性能情報を格納する水処理設備データベース１２と、被処理水に薬品を注入することで起こる化学反応を特定する化学反応式情報を格納する薬注モデルデータベース１３と、入力装置２を介して選択された水処理設備の設備性能情報と、選択された薬注モデルの化学反応式情報と、に基づいて、当該薬注モデルに対応する薬品の注入量と、処理後の水質と、を算出する処理水・薬注算出部１５と、原水情報と、選択された水処理設備の設備性能情報と、選択された薬注モデルと、処理水・薬注算出部１５による算出結果と、を少なくとも表示装置３に表示させる表示制御部１７と、を備える。【選択図】図１
2014124569.tif 000002
【特許請求の範囲】
【請求項１】
被処理水を処理する水処理設備の性能を特定する設備性能情報を、それぞれの水処理設備の識別情報と対応付けて格納する水処理設備データベースと、
被処理水に薬品を注入することで起こる化学反応を特定する化学反応式情報を、それぞれの薬品の識別情報と対応付けて、薬注モデルとして格納する薬注モデルデータベースと、
入力装置を介して前記水処理設備データベースから水処理設備が選択されるとともに、前記薬注モデルデータベースから薬注モデルが選択され、被処理水の初期状態である原水の水質を特定する原水情報が入力された場合、選択された前記水処理設備の設備性能情報と、選択された前記薬注モデルの化学反応式情報と、に基づいて、前記薬注モデルに対応する薬品の注入量と、処理後の水質と、を算出する処理水・薬注算出部と、
前記原水情報と、選択された前記水処理設備の設備性能情報と、選択された前記薬注モデルと、前記処理水・薬注算出部による算出結果と、を少なくとも表示装置に表示させる表示制御部と、
を備えることを特徴とする水質予測装置。
【請求項２】
前記水処理設備データベースには、水処理設備による処理を行う際に必要となる薬注処理の種類、及び当該種類において選択可能な薬注モデルの識別情報が、それぞれの水処理設備の識別情報に対応付けて格納され、
前記表示制御部は、入力装置を介して水処理設備が選択された場合、当該水処理設備に対応する複数の薬注モデルを、前記入力装置を介して選択可能となるように前記表示装置に表示させること
を特徴とする請求項１に記載の水質予測装置。
【請求項３】
前記水処理設備データベースには、それぞれの水処理設備の設備単価が、水処理設備の識別情報と対応付けて格納され、
前記薬注モデルデータベースには、それぞれの薬注モデルに対応する薬品の単位体積当たりの価格が、薬注モデルの識別情報と対応付けて格納され、
前記入力装置を介して選択された水処理設備の設備単価と、前記入力装置を介して選択された薬注モデルに対応する薬品の単位体積当たりの価格と、前記処理水・薬注算出部によって算出される前記薬品の注入量と、に基づいて設備コストを算出するコスト算出部を備えること
を特徴とする請求項１又は請求項２に記載の水質予測装置。
【請求項４】
前記薬注モデルデータベースには、それぞれの薬注モデルに対応する薬品の物性が、薬注モデルの識別情報と対応付けて格納され、
前記表示制御部は、前記入力装置を介して薬注モデルが選択された場合、当該薬注モデルの物性を前記表示装置に表示させること
を特徴とする請求項１に記載の水質予測装置。
【請求項５】
前記処理水・薬注算出部は、前記入力装置を介して原水の水質項目ごとの変動幅と、前記変動幅に対応する変動時間と、を含む変動情報が入力された場合、前記入力装置を介して選択された水処理設備及び薬注モデルによる処理がなされた被処理水の水質変動を算出し、
前記表示制御部は、前記処理水・薬注算出部による前記水質変動の算出結果を画像情報として前記表示装置に表示させること
を特徴とする請求項１に記載の水質予測装置。
【請求項６】
被処理水を処理する水処理設備の性能を特定する設備性能情報を、それぞれの水処理設備の識別情報と対応付けて格納する水処理設備データベースと、
被処理水に薬品を注入することで起こる化学反応を特定する化学反応式情報を、それぞれの薬品の識別情報と対応付けて、薬注モデルとして格納する薬注モデルデータベースと、
を備える水質予測装置が、
入力装置を介して前記水処理設備データベースから水処理設備が選択されるとともに、前記薬注モデルデータベースから薬注モデルが選択され、被処理水の初期状態である原水の水質を特定する原水情報が入力された場合、選択された前記水処理設備の設備性能情報と、選択された前記薬注モデルの化学反応式情報と、に基づいて、前記薬注モデルに対応する薬品の注入量と、処理後の水質と、を算出する水処理・薬注算出処理と、
前記原水情報と、選択された前記水処理設備の設備性能情報と、選択された前記薬注モデルと、前記処理水・薬注算出部による算出結果と、を少なくとも表示装置に表示させる表示制御処理と、
を実行することを特徴とする水質予測方法。
【発明の詳細な説明】
【技術分野】
【０００１】
本発明は、被処理水を処理した後の水質を予測する水質予測装置及び水質予測方法に関する。
【背景技術】
【０００２】
近年、世界的な気候変動や水不足の影響により水のニーズが高まりつつあり、市場規模の拡大が見込まれている。例えば、海水等の被処理水を淡水化する際、被処理水に薬品を注入・撹拌することで特定の不純物を含むフロックを成長させ、当該フロックを除去した後、逆浸透膜を介して透過水（淡水）を抽出する淡水化システムが知られている。
【０００３】
このような淡水化システムを設計する際、当該フロックを除去した後の被処理水に関して、その濁度等を所定の許容範囲まで減少させる構成にする必要がある。
例えば、特許文献１には、原水の水質と薬品の注入率とをニューラルネットワークに入力して処理水の水質を予測した後、この予測値を目標値と比較し、この比較結果に基づいて薬品注入率を調整する薬品注入率制御方法について記載されている。
また、特許文献２には、プロセス制御についてトレードオフ関係にある複数個の変量を一定値制御の枠組みで調整し、前記したトレードオフをバランスさせる関数の定義を付加してプロセス制御するプロセス制御システムについて記載されている。
【先行技術文献】
【特許文献】
【０００４】
【特許文献１】特開２００２−１２６７２１号公報
【特許文献２】特開２００７−２４９７６７号公報
【非特許文献】
【０００５】
【非特許文献１】気象研究所技術報告  第41号  2000  pp.5-7
【発明の概要】
【発明が解決しようとする課題】
【０００６】
しかしながら、特許文献１，２に記載の技術は、薬品を注入する処理に関しては適用できるものの、例えば、ＵＦ（Ultrafiltration）等の濾過膜を用いて不純物を濾しとる処理（つまり、物理濾過）を行う場合については考慮されていない。
また、特許文献１，２に記載の技術は、濾過処理（又はプロセス制御）を行う際の処理内容が予め決定されていることが前提となっている。例えば、特許文献２では、上流側から順に、最初沈殿池、無酸素槽、好気槽、及び最終沈殿池が順次配置されることを前提として、溶存酸素（ＤＯ）濃度やアンモニア濃度を制御する構成となっている。
【０００７】
このように、特許文献１，２に記載の技術では、被処理水の濁度等を許容範囲内にするために、候補となる複数の水処理設備を組み合わせた場合の処理結果を事前に検証できる構成にはなっていない。
【０００８】
そこで、本発明は、ユーザによって選択される水処理設備等に応じて水質予測できる水質予測装置及び水質予測方法を提供することを課題とする。
【課題を解決するための手段】
【０００９】
前記課題を解決するために、本発明は、入力装置を介して水処理設備データベースから水処理設備が選択されるとともに、薬注モデルデータベースから薬注モデルが選択され、被処理水の初期状態である原水の水質を特定する原水情報が入力された場合、選択された前記水処理設備の設備性能情報と、選択された前記薬注モデルの化学反応式情報と、に基づいて、前記薬注モデルに対応する薬品の注入量と、処理後の水質と、を算出することを特徴とする。
【発明の効果】
【００１０】
本発明によれば、ユーザによって選択される水処理設備等に応じて水質予測する水質予測装置及び水質予測方法を提供できる。
【図面の簡単な説明】
【００１１】
【図１】本発明の第１実施形態に係る水質予測装置の構成図である。
【図２】水質予測装置が備える水処理設備データベースの構成を示す説明図である。
【図３】水質予測装置が備える薬注モデルデータベースの構成を示す説明図である。
【図４】水処理設備データベースと薬注モデルデータベースとの関係を示す説明図である。
【図５】入力情報識別部が実行する処理の流れを示すフローチャートである。
【図６】原水情報等の入力をユーザに促す際の表示画面例である。
【図７】入力装置を介して入力される原水情報の例を示す説明図である。
【図８】情報検索部が実行する処理の流れを示すフローチャートである。
【図９】入力装置を介してＭＭＦが選択された場合、さらに特定の水処理設備の選択を促す表示画面例である。
【図１０】水処理設備データベースにおいて、入力装置を介して選択された水処理設備の性能を示す説明図である。
【図１１】入力装置を介してＮａｍｅ：１のＭＭＦが選択された場合の表示画面例である。
【図１２】処理水・薬注算出部が実行する処理の流れを示すフローチャートである。
【図１３】処理水・薬注算出部によって算出処理が実行された後の表示画面例である。
【図１４】入力装置を介した操作によって、後段側に水処理設備等が順次追加される際の説明図である。
【図１５】本発明の第２実施形態に係る水質予測装置の構成図である。
【図１６】水質予測装置が備える水処理設備データベースの構成を示す説明図である。
【図１７】水質予測装置が備える薬注モデルデータベースの構成を示す説明図である。
【図１８】本実施形態に係る水質予測装置の計算結果等を表示させる際の表示画面例である。
【図１９】第３実施形態に係る水質予測装置の計算結果等を表示させる際の表示画面例である。
【発明を実施するための形態】
【００１２】
本発明の実施形態について、適宜図面を参照しながら詳細に説明する。
なお、以下の記載において「被処理水」とは、水処理設備等の処理対象となる水を意味している。また、「原水」とは、水処理設備による処理（例えば、濾過処理）や薬品を注入する薬注処理が行われていない状態の水（つまり、被処理水の初期状態）を意味している。また、「目標水情報」とは、原水に対して一つ又は複数の処理を行って最終的に得られる被処理水の水質の許容範囲を示す情報である。
【００１３】
≪第１実施形態≫
＜水質予測装置の構成＞
図１は、第１実施形態に係る水質予測装置の構成図である。本実施形態では、原水の濾過処理等を一又は複数段階で行った後の水質を、水質予測装置１に予測させる場合について説明する。
【００１４】
水質予測装置１は、例えば、海水等の原水を処理する水処理システムの設計段階において、ユーザによって選択される水処理設備及び薬注モデルを用いた処理の結果として得られる被処理水の水質を算出（予測）する装置である。
水質予測装置１は、ＣＰＵ（Central Processing Unit）、ＲＯＭ（Read Only Memory）、ＲＡＭ（Random Access Memory）、ＨＤＤ（Hard Disk Drive）、各種インタフェースなどの電子回路を備えて構成され、その内部に記憶したプログラムに従って動作することで各種機能を発揮する。
【００１５】
水質予測装置１は、入力情報識別部１１と、水処理設備データベース１２（図１等では、「水処理設備ＤＢ」と記載）と、薬注モデルデータベース１３（図１等では、「薬注モデルＤＢ」と記載）と、情報検索部１４と、処理水・薬注算出部１５と、一時記憶部１６と、表示制御部１７と、を備えている。
【００１６】
（入力情報識別部）
入力情報識別部１１は、ユーザの操作により入力装置２を介して入力される情報を識別し、その識別結果に対応して前記情報を一時記憶部１６に格納する機能を有している。なお、図１に示す入力装置２は、例えば、水質予測装置１に接続されるキーボード（図示せず）やマウス（図示せず）であり、ユーザによる入力操作や選択操作を受け付けて入力情報識別部１１に出力する機能を有している。
【００１７】
（水処理設備データベース）
図２は、水質予測装置が備える水処理設備データベースの構成を示す説明図である。
水処理設備データベース１２には、被処理水を処理する水処理設備の性能を特定する設備性能情報が、それぞれの水処理設備の識別情報と対応付けて格納されている。
【００１８】
図２に示すように、ＭＭＦ（Multimedia Filtration）、ＵＦ（Ultrafiltration）、ＤＡＦ（Dissolved Air Floatation）等、複数の水処理設備に関する情報が水処理設備データベース１２に格納されている。詳細については後記するが、ユーザは、水質予測する際に使用する水処理設備として、図２に示すＭＭＦ、ＵＦ、ＤＡＦ、…の中から一つ又は複数の水処理設備を、入力装置２を介して順次選択することができる（同一種類の水処理設備を複数回選択する場合を含む）。
【００１９】
また、例えば、水処理設備としてＭＭＦを用いる場合でも、製造元のメーカやＭＭＦの型式によって、その設備性能（除去可能な不純物の大きさ等）が異なる。図２に示すように、例えば、メーカ名及び型式がＮａｍｅ：１であるＭＭＦの設備性能情報は、流量：Ｄ（１，１）、温度変化：Ｄ（１，２）、ｐＨ：Ｄ（１，３）、ＳＤＩ（Silt Density Index）：Ｄ（１，４）、Ｔｕｒｂ．（Turbidity）：Ｄ（１，５）、…として表わされる。
なお、図２に示す「Ｄ」は、水処理設備データベース１２に格納される具体的な数値を意味している。また、Ｄの次に記載した（１，１）、（１，２）等は、水処理設備データベース１２において値Ｄが格納されるアドレスを模式的に表わしたものである。
【００２０】
図２に示す例では、メーカ名及び型式がＮａｍｅ：１〜ｎのＭＭＦに関する情報が水処理設備データベース１２に予め格納されている。
なお、ＵＦやＤＡＦの水処理設備についても前記したＭＭＦの場合と同様に、各メーカ名及び型式に対応して設備性能情報が予め格納されている。
【００２１】
（薬注モデルデータベース）
図３は、水質予測装置が備える薬注モデルデータベースの構成を示す説明図である。
薬注モデルデータベース１３には、被処理水に薬品を注入することで起こる化学反応を特定する化学反応式情報が、それぞれの薬品の識別情報と対応付けて、薬注モデルとして格納されている。
ちなみに、前記した「化学反応式情報」は、被処理水に注入する薬品と、被処理水に含まれるとともに当該薬品と化学反応を起こす物質（不純物等）と、化学反応の結果として生成される物質と、の種類及びモル比を特定できる情報であればよく、化学反応式そのものに限定されない。
【００２２】
また、薬注モデルデータベース１３には、それぞれの薬注モデルが、薬注処理の目的（ｐＨ調整、脱塩素、殺菌、…）ごとに分類して格納されている。
例えば、ｐＨ調整の薬注処理を行う場合、ユーザは入力装置２を介して薬注モデルＡ，Ｂ，Ｃの中から一つを選択できる。薬注処理の目的が脱塩素、殺菌等の場合も同様である。なお、図３は一例であり、薬注処理の目的に対応する薬注モデルの個数は３つに限定されない。
【００２３】
（水処理設備ＤＢと薬注モデルＤＢとの関係）
図４は、水処理設備データベースと薬注モデルデータベースとの関係を示す説明図である。図４に示すＭＭＦ、ＵＦ、ＤＡＦ、…は、前記した水処理設備データベース１２（図２参照）に格納されている各水処理設備の種類に対応し、メーカ名及び型式のＮａｍｅ：１〜ｎは、水処理設備データベース１２に格納されているＭＭＦのメーカ名等に対応している。
【００２４】
例えば、ＭＭＦを用いた濾過処理を行う場合に必要となる薬注処理は、ＭＭＦの製造元メーカ及び型式によって異なる場合がある。例えば、Ｎａｍｅ：１のＭＭＦを用いる場合、ｐＨ調整が必要であるが（○印）、脱塩素及び殺菌は不要である（×印）。また、Ｎａｍe：２のＭＭＦを用いる場合、脱塩素が必要であるがｐＨ調整及び殺菌は不要である。
なお、薬注処理が全く不要な水処理設備（例えば、薬注処理を伴わない砂濾過）もあり得る。この場合、必要な薬注処理は存在しないという情報が薬注モデルデータベース１３に格納される。
【００２５】
これらの情報は、薬注処理の目的（例えば、ｐＨ調整）に対応付けて水処理設備データベース１２に格納され、薬注モデルデータベース１３の薬注モデル（例えば、薬品Ａ〜Ｃ：図３参照）と紐付けられている。
つまり、水処理設備データベース１２（図１参照）には、水処理設備による処理を行う際に必要となる薬注処理の種類、及び当該種類において選択可能な薬注モデルの識別情報が、それぞれの水処理設備の識別情報に対応付けて格納されている。
詳細については後記するが、水質予測装置１は、入力装置２を介して所定の水処理設備（例えば、Ｎａｍｅ：１のＭＭＦ）が選択されると、これに応じて必要となる薬注処理（ｐＨ調整）を特定し、選択可能な薬注モデル（薬注モデルＡ〜Ｃ：図３参照）を表示装置３に表示させる。
【００２６】
（情報検索部）
再び、図１に戻って説明を続ける。情報検索部１４は、入力装置２を介して所定の情報が入力された場合、当該情報に応じて水処理設備データベース１２及び薬注モデルデータベース１３を検索し、その検索結果を一時記憶部１６に格納する機能を有している。
例えば、入力装置２を介してＮａｍｅ：１のＭＭＦ（図２参照）が選択された場合、情報検索部１４は水処理設備データベース１２からＮａｍｅ：１の設備性能情報（流量等：図２参照）を検索し、その検索結果を一時記憶部１６に格納する。
なお、情報検索部１４が行う処理の詳細については後記する。
【００２７】
（処理水・薬注算出部）
処理水・薬注算出部１５は、入力装置２を介して選択された水処理設備の設備性能情報と、選択された薬注モデルの化学反応式情報とに基づいて、薬品の注入量と、処理後の水質と、を算出する機能を有している。
例えば、水処理設備α，β，γ（図示せず）を用いて水処理を順次行うこととする。この場合、処理水・薬注算出部１５は、水処理設備α，β，γそれぞれにおける処理後の水質（つまり、水質（α）、水質（α＋β）、及び水質（α＋β＋γ））を算出するようになっている。
なお、処理水・薬注算出部１５が行う処理の詳細については後記する。
【００２８】
（一時記憶部）
一時記憶部１６には、入力情報識別部１１、情報検索部１４、処理水・薬注算出部１５から入力される情報が一時的に格納される。
すなわち、一時記憶部１６には、入力情報識別部１１から入力される原水の水質情報、水処理設備の選択情報、薬注モデルの選択情報、及び目標水情報が格納される。なお、前記した目標水情報とは、一つ又は複数の水処理設備（及び薬注モデル）による処理後の水質の許容範囲を示す情報である。
【００２９】
（表示制御部）
表示制御部１７は、入力情報識別部１１又は情報検索部１４から所定の表示指令が入力された場合、当該表示指令に対応する情報を一時記憶部１６から読み出して画像情報に変換し、表示装置３に表示させる機能を有している。
【００３０】
すなわち、表示制御部１７は、入力装置２を介して入力された原水情報及び目標水情報と、入力装置２を介して選択された水処理設備の設備性能情報と、選択された薬注モデルと、処理水・薬注算出部１５による算出結果と、を少なくとも表示装置３（モニタなど）に表示させる機能を有している。
【００３１】
＜水質予測装置の処理＞
次に、入力情報識別部１１が行う処理（図５参照）、情報検索部１４が行う処理（図８参照）、及び処理水・薬注算出部１５が行う処理（図１２参照）について順次説明する。
【００３２】
（入力情報識別部の処理）
図５は、入力情報識別部が実行する処理の流れを示すフローチャートである。図５に示すＳＴＡＲＴの時点において水質予測装置１は、入力装置２を介した操作に応じて図６に示す画面を表示装置３に表示させているものとする。
図６に示す原水情報Ｆには、薬注処理や水処理（例えば、濾過）がなされていない原水の水質情報が表示される。ただし、図６のＳＴＡＲＴ時には数値が入力されておらず、空欄の状態である（他の全ての枠内についても同様である）。
【００３３】
また、図６に示す水処理設備選択部Ｇ１、処理後の水質情報Ｈ１、設備性能Ｉ１、及び薬注モデルＪ１は、１組の水処理設備及び薬注モデルに対応している。そして、入力装置２を介して水処理設備等が追加されるたびに、符号Ｐ１→Ｐ２→…→Ｐｋの順に（つまり、上流側から下流側に向けて）各情報が表示される。
【００３４】
水処理設備選択部Ｇ１は、入力装置２（図１参照）を介して水処理設備の選択操作をする箇所である。なお、水処理設備選択部Ｇ１には、入力装置２を介して水処理設備の種類（例えば、ＭＭＦ）の選択をするための第１選択部Ｇ１１と、入力装置２を介して水処理設備のメーカ名及び型式の選択をするための第２選択部Ｇ１２と、が表示されている。
設備性能Ｉ１には、入力装置２を介して選択された水処理設備の設備性能情報が表示される。
【００３５】
薬注モデルＪ１には、入力装置２を介して選択された薬注モデルの種類と、必要となる薬注量と、が表示される。
処理後の水質情報Ｈ１には、ユーザによって選択された水処理設備及び薬注モデルを用いた処理結果として予測される被処理水の水質情報が表示される。
なお、符号Ｐ２，…，Ｐｋで示す箇所（つまり、符号Ｐ１の後段側）も同様である。
目標水情報Ｌには、水処理設備の処理によって最終的に得られる被処理水の水質の許容範囲を示す情報が表示される。
【００３６】
再び、図５に戻って説明を続ける。ステップＳ１０１において入力情報識別部１１は、入力装置２から情報が入力されたか否かを判定する。入力装置２から何らかの情報が入力された場合（Ｓ１０１→Ｙｅｓ）、入力情報識別部１１の処理はステップＳ１０２に進む。一方、入力装置２から情報が入力されない場合（Ｓ１０１→Ｎｏ）、入力情報識別部１１はステップＳ１０１の処理を繰り返す。
ステップＳ１０２において入力情報識別部１１は、入力装置２から入力された情報が水質に関する情報（水質情報）であるか否かを判定する。入力装置２から入力された情報が水質情報である場合（Ｓ１０２→Ｙｅｓ）、入力情報識別部１１の処理はステップＳ１０３に進む。一方、入力装置２から入力された情報が水質情報でない場合（Ｓ１０２→Ｎｏ）、入力情報識別部１１の処理はステップＳ１０８に進む。
【００３７】
ステップＳ１０３において入力情報識別部１１は、入力装置２から入力された情報が原水の水質を示す情報（原水情報）であるか否かを判定する。入力装置２から入力された情報が原水情報である場合（Ｓ１０３→Ｙｅｓ）、入力情報識別部１１は当該情報を原水情報として一時記憶部１６に格納し（Ｓ１０４）、そのアドレス等を情報検索部１４及び表示制御部１７に通知する（Ｓ１０５）。
前記した原水情報は、図７に示すように、原水の流量、温度、ｐＨ、ＳＤＩ（Silt Density Index）、Ｔｕｒｂ．（Turbidity）、ＴＳＳ（Total Suspended Solids）、ＴＯＣ（Total Organic Carbon）、ＣＯＤ（Chemical Oxygen Demand）等である。これらの情報は、実際に取水される予定の原水をサンプル調査することで得たデータであってもよいし、文献等に記載された任意のデータであってもよい。入力装置２を介して入力された原水情報は、表示制御部１７によって図９の符号Ｆで示す枠内に表示される。ちなみに、原水情報は、後記する処理水・薬注算出部１５が実行する算出処理に用いられる。
【００３８】
図５のステップＳ１０３において、入力装置２から入力された情報が原水情報でない場合（Ｓ１０３→Ｎｏ）、入力情報識別部１１は目標水情報として一時記憶部１６に格納し（Ｓ１０６）、そのアドレス等を表示制御部１７に通知する（Ｓ１０７）。入力装置２を介して入力された目標水情報は、表示制御部１７によって図９の符号Ｌで示す枠内に表示される。
ちなみに、本実施形態において目標水情報は、表示装置３の画面を見たユーザが水処理設備等を選択する際の参考となるが、処理水・薬注算出部１５による算出処理には用いられない。
【００３９】
ステップＳ１０２において入力装置２から入力された情報が水質情報でない場合（Ｓ１０２→Ｎｏ）、ステップＳ１０８において入力情報識別部１１は、当該情報が水処理設備情報であるか否かを判定する。ここで、水処理設備情報とは、入力装置２を介した水処理設備（ＭＭＦ、ＵＦ、ＤＡＦ等：図２参照）の選択結果と、メーカ名及び型式（Ｎａｍｅ：１〜ｎ）の選択結果と、を含んでいる。
入力装置２から入力された情報が水処理設備情報である場合（Ｓ１０８→Ｙｅｓ）、入力情報識別部１１は当該情報を水処理設備情報として一時記憶部１６に格納し（Ｓ１０９）、そのアドレス等を情報検索部１４及び表示制御部１７に通知する（Ｓ１０５）。ちなみに、水処理設備情報は、水処理設備選択部Ｇ１に選択結果として表示されるとともに（図９参照）、後記する情報検索部１４の処理に用いられる。
【００４０】
入力装置２から入力された情報が水処理設備情報でない場合（Ｓ１０８→Ｎｏ）、入力情報識別部１１は当該情報を薬注モデル情報として一時記憶部１６に格納し（Ｓ１１０）、そのアドレス等を情報検索部１４及び表示制御部１７に通知する（Ｓ１０５）。ここで、薬注モデル情報とは、入力装置２を介して選択された薬注モデル（例えば、薬注モデルＡ：図３参照）の選択結果を意味している。薬注モデル情報は、図９に示す符号Ｊ１の枠内に表示されるとともに、後記する情報検索部１４の処理に用いられる。
入力情報識別部１１は、入力装置２から情報が入力されるたびに図５に示す処理を逐次実行する。
【００４１】
（情報検索部の処理）
図８は、情報検索部が実行する処理の流れを示すフローチャートである。なお、図８のＳＴＡＲＴ時において、入力装置２を介して原水情報及び目標水情報が入力され、表示装置３に表示されているものとする（図９の符号Ｆ，Ｌを参照）。
ステップＳ２０１において情報検索部１４は、入力情報識別部１１から水処理設備の選択通知があったか否かを判定する。ここで、水処理設備の選択通知には、選択された水処理設備の情報が格納されている一時記憶部１６のアドレスが含まれている。入力情報識別部１１から水処理設備の選択通知があった場合（Ｓ２０１→Ｙｅｓ）、情報検索部１４の処理はステップＳ２０２に進む。
【００４２】
図９に示す例では、符号Ｇ１１で示すプルダウンメニューから水処理設備としてＭＭＦが選択され、符号Ｇ１２で示すプルダウンメニューからメーカ名及び型式としてＮａｍｅ：１が選択されている。
【００４３】
入力情報識別部１１から水処理設備の選択通知がない場合（Ｓ２０１→Ｎｏ）、情報検索部１４はステップＳ２０１の処理を繰り返す。
ステップＳ２０２において情報検索部１４は、ステップＳ２０１で選択された水処理設備の設備性能情報を検索する。すなわち、情報検索部１４は、水処理設備データベース１２を検索し、入力装置２を介して選択された水処理設備の設備性能情報を取得する。
【００４４】
例えば、水処理設備としてＮａｍｅ：１のＭＭＦが選択された場合、情報検索部１４は、当該水処理設備に対応する設備性能情報（図１０に示す太枠線内の各データ）を水処理設備データベース１２から取得する。
ステップＳ２０３において情報検索部１４は、検索した設備性能情報を一時記憶部１６に格納する。
【００４５】
ステップＳ２０４において情報検索部１４は、入力装置２を介して選択された水処理設備に必要となる薬注処理の種類（目的）を検索する。例えば、Ｎａｍｅ：１のＭＭＦを用いる場合、ｐＨ調整が必要となる（図４参照）。
ステップＳ２０５において情報検索部１４は、ステップＳ２０４で検索した薬注処理を行う場合に選択可能な薬注モデルを薬注モデルデータベース１３から取得し、一時記憶部１６に格納する。例えば、ｐＨ調整が必要である場合、入力装置２を介して薬注モデルＡ，Ｂ，Ｃ（図３参照）の３つの中から一つを選択可能である。
【００４６】
ステップＳ２０６において情報検索部１４は、入力装置２を介して選択された水処理設備、及び選択可能な薬注モデルの識別情報を一時記憶部１６に格納したことを表示制御部１７に通知する。当該通知を受けた場合、表示制御部１７は、図１１に示す画像を表示装置３に表示させる。つまり、ユーザによってＮａｍｅ：１のＭＭＦが選択された場合、当該水処理設備の設備性能情報が符号Ｉ１の枠内に表示されるとともに、入力装置２を介して選択可能な薬注モデルＡ，Ｂ，Ｃが符号Ｊ１の枠内に表示される。
【００４７】
前記したように、それぞれの水処理装置には、必要となる薬注処理の種類（目的）が予め設定されている（図４参照）。したがって、入力装置２を介して水処理設備が選択された場合、当該水処理設備に必要となる薬注処理の種類（一つ又は複数）が決まり、それぞれの薬注処理の種類に対応して選択可能な薬注モデルが特定される（図３参照）。
【００４８】
なお、選択された水処理設備において複数の薬注処理（例えば、ｐＨ調整と脱塩素）が必要である場合、例えば複数のプルダウンメニューを表示する。これによって、ユーザは、入力装置２を介して各薬注処理に使用する薬注モデルを選択できる。
【００４９】
ステップＳ２０７において情報検索部１４は、入力装置２を介して薬注モデルが選択されたか否かを判定する。入力装置２を介して薬注モデルが選択された場合（Ｓ２０７→Ｙｅｓ）、情報検索部１４の処理はステップＳ２０８に進む。一方、入力装置２を介して薬注モデルが選択されていない場合（Ｓ２０７→Ｎｏ）、情報検索部１４はステップＳ２０７の処理を繰り返す。
ステップＳ２０８において情報検索部１４は、ステップＳ２０７で選択された薬注モデルに対応する化学反応式情報を検索する。例えば、図１１に示す薬注モデルＡ，Ｂ，Ｃのうち薬注モデルＡ（薬品Ａ）が選択された場合、情報検索部１４は薬注モデルデータベース１３を検索して薬注モデルＡの化学反応式情報を取得する。
【００５０】
ステップＳ２０９において情報検索部１４は、ステップＳ２０８で取得した化学反応式情報を一時記憶部１６に格納する。
ステップＳ２１０において情報検索部１４は、化学反応式情報を一時記憶部１６に格納したこと、及び当該アドレスを処理水・薬注算出部１５に通知する。
情報検索部１４は、後段側に水処理設備等が追加されるたびに、図８に示す処理を逐次実行する。
【００５１】
（処理水・薬注算出部の処理）
図１２は、処理水・薬注算出部が実行する処理の流れを示すフローチャートである。
ステップＳ３０１において処理水・薬注算出部１５は、情報検索部１４からステップＳ２１０（図８参照）の通知があったか否かを判定する。情報検索部１４から通知があった場合（Ｓ３０１→Ｙｅｓ）、処理水・薬注算出部１５の処理はステップＳ３０２に進む。一方、情報検索部１４から通知がない場合（Ｓ３０１→Ｎｏ）、処理水・薬注算出部１５はステップＳ３０１の処理を繰り返す。
【００５２】
ステップＳ３０２において処理水・薬注算出部１５は、処理後の水質と、必要となる薬注量と、を算出する。ここで、「処理後の水質」とは、図５のステップＳ１０９で選択された水処理設備による処理後の水質を意味している。また、前記した「必要となる薬注量」とは、図５のステップＳ１１０で選択された薬注モデルで水処理設備の性能（図１０参照）を満たすために必要となる薬品の量（体積）を意味している。
【００５３】
処理水・薬注算出部１５は、図５のステップＳ１０９で選択された水処理設備の性能（図１０参照）に基づいて、水処理設備及び薬注モデルによる処理後の水質を算出する。
例えば、処理水・薬注算出部１５は、処理後の水質のうち温度やＳＤＩについては、水処理設備データベース１２に格納されている設備性能情報をそのまま出力する。
【００５４】
また、処理水・薬注算出部１５は、処理後の水質のうちＴＳＳ、ＴＯＣ、ＣＯＤ、及びＴｕｒｂ．を、前段までの処理がなされた被処理水の水質情報と、水処理設備データベース１２に格納されている設備性能情報とを用いて、以下に示す（式１）により算出する。ここで、Ｐは処理後の水質（例えば、ＴＳＳの値）であり、Ｑは処理前の水質（例えば、ＴＳＳの値）であり、Ｒは水処理設備の設備性能情報（例えば、ＴＳＳの減少率[％]）である。
Ｐ＝Ｑ×{（１００−Ｒ）／１００}  ・・・（式１）
【００５５】
なお、本実施形態では例示しなかったが、ＶＳＳ（Volatile suspended solids），Algae，Micro organizm，Oil&Grease，Ｆｅ2+/3+，Ｍｎ，Ａｌ2+/3+等についても、前記した（式１）を用いて同様の方法で算出できる。
また、ＨＣＯ３の値を算出する場合、水処理設備においてｐＨを調整する場合は目標とするｐＨと被処理水のＨＣＯ３の値およびｐＨの値から、処理後のＨＣＯ３の値が計算され、出力される。当該計算は、例えば、前記した非特許文献１の方法を用いる。ｐＨを調整しない場合は前段の処理結果として被処理水に含まれるＨＣＯ３をそのまま出力する。
【００５６】
また、処理水・薬注算出部１５は、選択した水処理設備の設備性能を満たすのに必要となる薬注量（単位時間当たりの注入量）を、入力装置２を介して選択された薬注モデルの化学反応式情報に基づいて算出する。ちなみに、前記した化学反応式情報は、情報検索部１４によって薬注モデルデータベース１３から検索される。
一例として、脱塩素剤の注入量を算出する際の計算式を、以下の（式２）に示す。
（必要な薬注量）＝（被処理水の流量）×(被処理水に含まれる被処理物の濃度)／(被処理物の分子量)×（選択した脱塩素剤の分子量）  ・・・（式２）
【００５７】
次に、ステップＳ３０３において処理水・薬注算出部１５は、ステップＳ３０２の算出結果を一時記憶部１６（図１参照）に格納する。
ステップＳ３０４において処理水・薬注算出部１５は、処理後の水質及び必要薬注量を算出したこと、及び当該データが格納されたアドレスを表示制御部１７に通知する。当該通知を受けた表示制御部１７は、処理水・薬注算出部１５による算出結果を一時記憶部１６から読み出して画像情報に変換し、表示装置３に表示させる。そうすると、例えば図１３に示すように、Ｎａｍｅ：１（符号Ｇ１２参照）のＭＭＦ（符号Ｇ１１参照）と、薬注モデルＡに対応する薬品Ａ（符号Ｊ１参照）と、を用いた処理後の水質が、符号Ｈ１で示す枠内に表示される。
また、表示制御部１７は、Ｎａｍｅ：１のＭＭＦに必要となる薬品Ａの注入量（５０[m3/d]）を、符号Ｊ１で示す枠内に表示させる。
【００５８】
なお、処理水・薬注算出部１５は、入力装置２を介した操作によって後段（つまり、下流側）の水処理設備が追加されるたびに、図１２に示す処理を逐次実行する。例えば、図１４に示すように、入力装置２を介して符号Ｇ２で示す枠内で水処理設備（Ｎａｍｅ：５のＵＦ）が追加された場合、処理水・薬注算出部１５は、当該水処理設備よりも一つ前の水処理設備（Ｎａｍｅ：１のＭＭＦ：符号Ｇ１参照）による処理後の水質（枠線Ｈ１内に表示される水質）を、追加した水処理設備の被処理水として設定する。
【００５９】
このように、水質予測装置１は、水処理設備等を用いた処理後の水質を予測する際、入力装置２を介して水処理設備等が追加されるたびに、追加後の水処理設備の水質を逐次算出して表示装置３に表示させる。そして、ユーザは、表示装置３に表示される処理後の水質を見て、目標水情報（図１４の符号Ｌ参照）と比較することで入力装置２を操作して水処理設備等を適宜追加していく。
【００６０】
ちなみに、薬品の注入が必要でない水処理設備が選択された場合、表示制御部１７は、薬注モデル情報を表示させる枠内（例えば、図１４の符号Ｊ１の枠内）に、薬注処理が不要である旨を表示させる。この場合でも、前記した薬注処理を行う場合と同様の方法を用いて処理後の水質を算出できる。
【００６１】
＜効果＞
本実施形態に係る水質予測装置１によれば、例えば、原水を淡水化する際の前処理設備（水処理設備及び薬注設備）を設計する際、入力装置２を介して原水情報が入力され、水処理設備等が選択されることで、処理後の水質を予測できる。
前記した特許文献１，２に記載の技術では、水処理設備等の構成が予め設定されているという条件下において、はじめて薬注量等を調整できるという制約があった。これに対して、本実施形態に係る水質予測装置１によれば、入力装置２を介して選択される水処理設備の種類（例えば、ＭＭＦ）、及び製造元のメーカ名及び型式（例えば、Ｎａｍｅ：１）に応じて、処理後の水質を予測できる。つまり、水処理設備の種類、個数、順番等の変更に対して、柔軟に対応することができる。
【００６２】
また、前記した特許文献１，２に記載の技術では、薬注処理を行う際の注入量を調整できるものの、化学変化を伴わない濾過処理等を行う場合については考慮されていなかった。本実施形態に係る水質予測装置１によれば、化学変化を伴わない濾過処理等を行う場合についても、処理後の水質を適切かつ簡単に予測することができる。
【００６３】
また、本実施形態に係る水質予測装置１は、入力装置２を介して水処理設備が選択されると、当該水処理設備に必要となる薬注処理（例えば、ｐＨ調整）を特定し、この薬注処理に使用可能な薬注モデル（例えば、薬注モデルＡ，Ｂ，Ｃ）を表示装置３に表示させる。このように、複数の薬注モデルを表示することによってユーザの調査負担を軽減し、使い勝手を向上させることができる。
【００６４】
また、水質予測装置１は、入力装置２を介して水処理設備（及びこれに対応する薬注設備）が後段側に追加される度に、当該水処理設備等を含んだ複数段階の処理がなされた後の水質を予測する。
そして、ユーザは、表示された処理後の水質と目標水質とを逐次比較することで、水処理設備を追加、変更、又は削除を検討することができる。つまり、複数の水処理設備が選択された場合、その途中段階の水質を予測して表示させることで、ユーザが水処理設備を選択する際の方針を決めやすくし、ユーザの負担を軽減することができる。
【００６５】
≪第２実施形態≫
第２実施形態に係る水質予測装置１Ａ（図１５参照）は、第１実施形態と比較してコスト算出部１８を追加し、設備コストに関するデータが水処理設備データベース１２Ａ及び薬注モデルデータベース１３Ａに格納される点が異なるが、その他の部分は第１実施形態と同様である。したがって、当該異なる部分について説明し、第１実施形態と重複する部分については説明を省略する。
図１５は、第２実施形態に係る水質予測装置の構成図である。図１５に示すコスト算出部１８は、ユーザによって選択された水処理設備と、薬注モデルに対応する薬品に要するコストを算出する機能を有している。
【００６６】
図１６に示すように、水処理設備データベース１２Ａには、それぞれの水処理設備の種類（例えば、ＭＭＦ）と、メーカ名及び型式（例えば、Ｎａｍe：１）と、各水処理設備の設備単価及び付帯設備単価と、が水処理設備の識別情報と対応付けて格納されている。例えば、図１６に示す設備単価Ｄ（１，ｍ）とは、Ｎａｍｅ：１のＭＭＦの単価であり、付帯設備単価Ｄ（１，ｍ＋１）とは、Ｎａｍｅ：１のＭＭＦの処理に付随する設備（例えば、タンク、ポンプ）の価格である。
【００６７】
また、図１７に示すように、薬注モデルデータベース１３Ａには、それぞれの薬注モデルに対応して化学反応式に関する情報と、薬品単価と、薬品の物性と、が薬注モデルの識別情報に対応付けて格納されている。ここで、薬品単価とは、薬注モデルで用いられる薬品の単位体積当たりの価格である。また、薬品の物性とは、薬注モデルで用いられる薬品の濃度、比重等である。
【００６８】
コスト算出部１８（図１５参照）は、処理水・薬注算出部１５による算出処理が実行された後、入力装置２を介して選択された水処理設備の設備単価及び付帯設備単価（図１６参照）と、入力装置２を介して選択された薬注モデルに対応する薬品単価と、を一時記憶部１６から読み出す。なお、前記各情報は、情報検索部１４によって水処理設備データベース１２Ａ及び薬注モデルデータベース１３Ａから取得され、一時記憶部１６に格納されている。
【００６９】
次に、コスト算出部１８は、入力装置２を介して選択される水処理設備の設備単価と、入力装置２を介して選択された薬注モデルに対応する薬品の単位体積当たりの価格と、処理水・薬注算出部１５によって算出される薬品の注入量と、に基づいて設備コストを算出する。
すなわち、コスト算出部１８は、処理水・薬注算出部１５によって算出された薬注量（添加する薬品の体積）と、前記した薬品単価との積を算出し、薬品コストとして一時記憶部１６に格納する。
【００７０】
さらに、コスト算出部１８は、前記した設備単価と、付帯設備単価と、薬品コストと、の和を設備コストとして算出する。なお、前記した設備コスト(ＣＡＰＥＸ：Capital Expenditure)には、設備費、建設費、及び設計費が含まれる。
さらにコスト算出部１８は、入力装置２を介して水処理設備等が追加、変更、削除されるたびに、複数の水処理設備等の設備コストの合計を算出し、一時記憶部１６に格納する。
【００７１】
図１８は、本実施形態に係る水質予測装置の計算結果等を表示させる際の表示画面例である。
図１８に示す原水情報Ｆ、目標水情報Ｌ、水処理設備選択部Ｇ１〜Ｇｋ、処理後の水質情報Ｈ１〜Ｈｋ、設備性能Ｉ１〜Ｉｋ、及び薬注モデルＪ１〜Ｊｋは、第１実施形態で説明したものと同様である。なお、図１８では、各枠内の数値等は省略した（図１９も同様）。
【００７２】
ちなみに、符号Ｍ２の枠内には、入力装置２を介して選択された水処理設備（符号Ｇ２の枠内）と、薬注モデル（符号Ｊ２の枠内）と、を使用する場合の設備コストが表示される（符号Ｇ１に対応する設備コストＭ１との和ではない）。
【００７３】
また、符号Ｎの枠内には、ユーザによって選択された一つ又は複数の水処理設備等の設備コストの合計が表示される。設備コストの合計は、入力装置２を介して水処理設備等が追加、変更、又は削除されるたびに更新される。
【００７４】
＜効果＞
本実施形態に係る水質予測装置１Ａによれば、入力装置２を介して選択される水処理設備等に要する設備コストを算出し、表示装置３に表示させることができる。そして、ユーザは、表示装置３に表示される設備コスト及びその合計を見ながら（つまり、設備コスト：ＣＡＰＥＸを考慮しながら）、水処理設備等を適宜選択することができる。
【００７５】
また、本実施形態に係る水質予測装置１Ａによれば、設備性能と、薬注モデルと、処理後の水質情報と、設備コストと、を対応付けて表示装置３に表示させる（図１８参照）。したがって、ユーザは、設備コストだけでなく、水処理設備等の性能も併せて総合的に考慮しつつ選択操作を進めることができる。
このように、水質予測装置１Ａは、設備コストを含めた様々な情報を表示装置３に表示させることによって、ユーザの使い勝手を向上させることができる。
【００７６】
≪第３実施形態≫
第３実施形態に係る水質予測装置１Ｂ（図示せず）は、第１実施形態と比較して、入力情報識別部１１、処理水・薬注算出部１５及び表示制御部１７の処理内容が異なるが、水質予測装置１Ｂの構成は第１実施形態（図１参照）と同様である。したがって、当該異なる部分について説明し、第１実施形態と重複する部分については説明を省略する。
表示制御部１７は、原水情報等が入力される前の段階において、図１９に示す水質変動入力部Ｐと、表示水質選択部Ｑと、を表示させる。
水質変動入力部Ｐは、入力装置２を介した操作に応じて、原水の水質の変動情報（水質変動スパンＰ１と、水質変動幅Ｐ２と、取水量変動Ｐ３）の入力を受け付ける箇所である。
【００７７】
水質変動スパンＰ１（変動時間）は、原水の水質が変動する際の周期を意味している。水質変動幅Ｐ２（変動幅）は、水質変動スパンＰ１内における原水（温度、ｐＨ等）の変動幅を意味している。取水量変動Ｐ３は、原水が取水される際の流量の変動周期及び変動幅を意味している。水質変動スパンＰ１、水質変動幅Ｐ２、及び取水量変動Ｐ３は、事前の調査等によって知ることができる。
入力装置２を介して原水の水質変動スパンＰ１が入力された場合、入力情報識別部１１は、当該水質変動スパンＰ１を一時記憶部１６に格納し、そのアドレス等を処理水・薬注算出部１５に通知する。なお、入力装置２を介して水質変動幅Ｐ２又は取水量変動Ｐ３が入力された場合も同様である。
【００７８】
表示水質選択部Ｑは、図７を用いて説明した原水の水質のうち、特定の項目（例えば、ＣＯＤ）を、入力装置２を介して選択する部分である。
入力装置２を介して水処理設備等が選択されると、処理水・薬注算出部１５は、所定時間（例えば、１ｍｉｎ）ごとの被処理水の水質を逐次算出し、一時記憶部１６に格納する。表示制御部１７は、前記した水質を一時記憶部１６から読み出し、水質の各項目の経時的な変化をグラフＲとして表示する。なお、図１９に示す例（符号Ｒ１〜Ｒ３参照）では、３つの項目（例えば、温度、ｐＨ、ＣＯＤ）に関する経時変化を表示する場合を示した。
【００７９】
また、表示制御部１７は、入力装置２を介して表示水質選択部Ｑにおいて選択された項目（例えば、ＣＯＤ）について、原水と、１段目から順次後段側（下流側）で処理がなされる被処理水の、各段階における値（例えば、時間的な平均値）を棒グラフとして表示させる。
【００８０】
＜効果＞
本実施形態に係る水質予測装置１Ｂによれば、入力装置２を介して入力される水質変動に応じて、水質の各項目の経時的な変化や、水質の特定項目に関する各処理段階での値を表示装置３に表示させることができる。これによって、ユーザは、水質変動に関する情報を一目で把握することができる。
【００８１】
また、このような被処理水の水質変動は、原水の水質変動のみでなく水処理設備等の性能にも影響される。ユーザは、図１９に示すグラフを目視することで、水質変動等を考慮した上で水処理設備等を選択することができる。
【００８２】
≪変形例≫
以上、本発明に係る水質予測装置１，１Ａ，１Ｂについて各実施形態により説明したが、本発明はこれらの記載に限定されるものではなく、種々の変更を行うことができる。
例えば、前記各実施形態では、水処理設備としてＵＦ等の濾過装置を用いる場合について説明したが、これに限らない。例えば、被処理水に含まれる微生物を次亜塩素酸で死滅させた後に行う中和処理等、様々な種類の水処理に適用できる。
【００８３】
また、前記各実施形態では、表示制御部１７が表示装置３に目標水情報を表示させる場合について説明したが、これに限らない。すなわち、目標水情報の表示を省略してもよい。
また、入力装置２を介して薬注モデルが選択された場合、表示制御部１７は、当該薬注モデルの物性を薬注モデルデータベース１３（又は一時記憶部１６）から表示装置に表示させてもよい。
【００８４】
また、第２実施形態においてコスト算出部１８は、入力装置２を介して選択された薬品の物性（濃度、比重等）も用いて薬品に要するコストを算出してもよい。
また、第２実施形態では、設備コストとして水処理を行う際に必要となる付帯設備を含めたコストを算出する場合について説明したが、これに限らない。すなわち、付帯設備に要するコストを省略してもよい。
【００８５】
また、第２実施形態では、設備コスト（ＣＡＰＥＸ）を算出する場合について説明したが、これに限らない。例えば、水処理設備等の運営コスト（ＯＰＥＸ：Operating Expense）を算出し、表示装置３に表示させてもよい。ちなみに、運営コストは、設備の稼働電力、設備維持費、消耗品等に要する費用である。
また、第３実施形態では、水質変動スパンＰ１と、水質変動幅Ｐ２と、取水量変動Ｐ３と、に基づいた水質変動に関する算出結果を、表示制御部１７が画像情報として表示装置２に表示させる場合について説明したが、これに限らない。例えば、処理水・薬注算出部１５が、水質変動スパンＰ１及び水質変動幅Ｐ２に基づいて（つまり、取水量変動Ｐ３を用いることなく）、水質変動に関する演算を実行してもよい。
【００８６】
また、前記各実施形態は、適宜組み合わせることができる。例えば、第２実施形態と第３実施形態とを組み合わせ、設備コストに関する情報と、水質変動に関する情報（グラフ）と、を表示装置３に表示させてもよい。
【符号の説明】
【００８７】
１，１Ａ，１Ｂ  水質予測装置
１１  入力情報識別部
１２，１２Ａ  水処理設備データベース
１３，１３Ａ  薬注モデルデータベース
１４  情報検索部
１５  処理水・薬注算出部
１６  一時記憶部
１７  表示制御部
１８  コスト算出部
２  入力装置
３  表示装置
【図１】
2014124569.tif 000003
【図２】
2014124569.tif 000004
【図３】
2014124569.tif 000005
【図４】
2014124569.tif 000006
【図５】
2014124569.tif 000007
【図６】
2014124569.tif 000008
【図７】
2014124569.tif 000009
【図８】
2014124569.tif 000010
【図９】
2014124569.tif 000011
【図１０】
2014124569.tif 000012
【図１１】
2014124569.tif 000013
【図１２】
2014124569.tif 000014
【図１３】
2014124569.tif 000015
【図１４】
2014124569.tif 000016
【図１５】
2014124569.tif 000017
【図１６】
2014124569.tif 000018
【図１７】
2014124569.tif 000019
【図１８】
2014124569.tif 000020
【図１９】
2014124569.tif 000021